(57)【要約】      （修正有）【課題】設備コストが安価で作業性に優れ、防草効果を長期間にわたって発揮する上で有利な縁石に沿った隙間の修繕装置を提供する。【解決手段】ディスクグラインダー１２を用いて縁石と歩道との間の隙間または縁石と道路との間の隙間に繁茂した雑草を除去し、ディスクグラインダー１２により削り取られた溝に除草剤散布機により除草剤を散布し、コーキングガンを用いて除草剤が散布された溝内に主剤と硬化剤を混合する２液混合型の充填剤を充填することで、充填剤により溝を閉塞することができる。【選択図】図１
0003209692.tif 000002
【実用新案登録請求の範囲】
【請求項１】
縁石と歩道との間の隙間または縁石と道路との間の隙間に繁茂した雑草を除去して前記隙間を閉塞する縁石に沿った隙間の修繕装置であって、
キャスター輪と、前記隙間に挿入される円盤状のカッターと、ハンドルとを有するディスクグラインダーと、
前記ディスクグラインダーにより削り取られた溝に除草剤を散布する除草剤散布機と、
前記除草剤が散布された溝内に主剤と硬化剤を混合する２液混合型の充填剤を充填するコーキングガンと、
を備えることを特徴とする縁石に沿った隙間の修繕装置。
【請求項２】
前記除草剤が散布された前記溝内に、前記溝内への前記充填剤の接着性を高めるプライマーを散布するプライマー散布機をさらに備える、
ことを特徴とする請求項１記載の縁石に沿った隙間の修繕装置。
【請求項３】
前記充填剤は、樹脂系で日光および大気を遮断する株式会社フジタ道路の商品名ＦＲフィラー（登録商標）である、
ことを特徴とする請求項１または２記載の縁石に沿った隙間の修繕装置。
【請求項４】
前記ディスクグラインダーは、前記カッターおよび前記カッターを回転駆動する駆動源を収容し、横寸法よりも縦寸法が大きいハウジングを備え、
前記カッターの厚み方向の両側の側面のうちの一方の側面は、前記ハウジングの前記横寸法の両側の側面のうちの一方の側面に寄せて配置され、
前記ハウジングの前記一方の側面は、前記カッターの前記一方の側面の上部を覆い下部をハウジングの外部に露出させている、
ことを特徴とする請求項１〜３の何れか１項記載の縁石に沿った隙間の修繕装置。
【請求項５】
前記キャスター輪は、前記ハウジングに対して高さ調節可能に取着されている、
ことを特徴とする請求項１〜４の何れか１項記載の縁石に沿った隙間の修繕装置。
【請求項６】
前記カッターは、外周の刃部の断面形状が半径方向外方に至るにつれて次第に幅が狭くなるＶ字状を呈している、
ことを特徴とする請求項１〜５の何れか１項記載の縁石に沿った隙間の修繕装置。
【考案の詳細な説明】
【技術分野】
【０００１】
本考案は、縁石に沿った隙間の修繕装置に関する。
【背景技術】
【０００２】
縁石と歩道との間、あるいは、縁石と道路との間の隙間には雑草が繁茂するため、定期的に手作業で雑草を除去する必要があり、多大な手間を要している。
そのため、特許文献１には、目張りテープ、芽止めテープ、防草シートの３層からなる構造で隙間を塞ぎ、雑草の繁茂を抑制する技術が開示されている。
また、特許文献２には、砂とアスファルトとを混合した防草材で隙間を覆う技術が開示されている。
【先行技術文献】
【特許文献】
【０００３】
【特許文献１】特開２００８−６９５２７号公報
【特許文献２】特開２０１５−２７３８号公報
【考案の概要】
【考案が解決しようとする課題】
【０００４】
しかしながら、前者の従来技術では、隙間の上から３種類のテープやシートを順次貼り付けるために手間がかかり、また、それらテープやシートの耐久性についても不利がある。
また、後者の従来技術では、砂とアスファルトを混合するに際してアスファルトを加熱するための大掛かりな装置が必要となり、設備コストや作業性の面で不利がある。
本考案は前記事情に鑑み案出されたものであって、本考案の目的は、設備コストが安価で作業性に優れ、防草効果を長期間にわたって発揮する上で有利な縁石に沿った隙間の修繕装置を提供することにある。
【課題を解決するための手段】
【０００５】
上述した目的を達成するために、請求項１記載の考案は、縁石と歩道との間の隙間または縁石と道路との間の隙間に繁茂した雑草を除去して前記隙間を閉塞する縁石に沿った隙間の修繕装置であって、キャスター輪と、前記隙間に挿入される円盤状のカッターと、ハンドルとを有するディスクグラインダーと、前記ディスクグラインダーにより削り取られた溝に除草剤を散布する除草剤散布機と、前記除草剤が散布された溝内に主剤と硬化剤を混合する２液混合型の充填剤を充填するコーキングガンとを備えることを特徴とする。
請求項２記載の考案は、前記除草剤が散布された前記溝内に、前記溝内への前記充填剤の接着性を高めるプライマーを散布するプライマー散布機をさらに備えることを特徴とする。
請求項３記載の考案は、前記充填剤は、樹脂系で日光および大気を遮断する株式会社フジタ道路の商品名ＦＲフィラー（登録商標）であることを特徴とする。
請求項４記載の考案は、前記ディスクグラインダーは、前記カッターおよび前記カッターを回転駆動する駆動源を収容し、横寸法よりも縦寸法が大きいハウジングを備え、前記カッターの厚み方向の両側の側面のうちの一方の側面は、前記ハウジングの前記横寸法の両側の側面のうちの一方の側面に寄せて配置され、前記ハウジングの前記一方の側面は、前記カッターの前記一方の側面の上部を覆い下部をハウジングの外部に露出させていることを特徴とする。
請求項５記載の考案は、前記キャスター輪は、前記ハウジングに対して高さ調節可能に取着されていることを特徴とする。
請求項６記載の考案は、前記カッターは、外周の刃部の断面形状が半径方向外方に至るにつれて次第に幅が狭くなるＶ字状を呈していることを特徴とする。
【考案の効果】
【０００６】
請求項１記載の考案によれば、ディスクグラインダーを用いて縁石と歩道との間の隙間または縁石と道路との間の隙間に繁茂した雑草を除去し、ディスクグラインダーにより削り取られた溝に除草剤散布機により除草剤を散布し、コーキングガンを用いて除草剤が散布された溝内に主剤と硬化剤を混合する２液混合型の充填剤を充填することで、充填剤により溝部を閉塞することができる。
したがって、複数のテープやシールで隙間を覆う作業や、砂とアスファルトとを混合した防草材で隙間を覆う作業を省略でき、設備コストが安価で作業性に優れ、防草効果を長期間にわたって発揮する上で有利となる。
請求項２記載の考案によれば、充填剤が溝から剥がれ落ちて溝が露出することを長期間にわたって抑制でき、防草効果を長期間にわたって維持する上でより有利となっている。
請求項３記載の考案によれば、充填剤により日光および大気を遮断するため、防草効果を高める上で有利となる。
請求項４記載の考案によれば、縁石の側方に近接させてカッターを位置させ、隙間に繁茂した雑草の刈り取りを円滑に行ない、また、隙間内の土砂やゴミなどの異物を円滑に除去する上で有利となる。
請求項５記載の考案によれば、カッターにより削り取られる溝の深さを調節する上で有利となる。
請求項６記載の考案によれば、カッターの刃部が隙間内に容易に挿入され、雑草の刈り取り、異物の除去を円滑に行なう上で有利となる。
【図面の簡単な説明】
【０００７】
【図１】実施の形態の修繕装置の側面図である。
【図２】実施の形態の修繕装置の平面図である。
【図３】図２のＡ矢視図である。
【図４】（Ａ）、（Ｂ）は修繕装置により隙間内から溝を削り取る動作の説明図である。
【図５】（Ａ）、（Ｂ）、（Ｃ）は修繕装置により除草剤、プライマーを溝に散布し、充填剤を溝に充填する動作の説明図である。
【考案を実施するための形態】
【０００８】
以下、本考案の実施の形態を図面を参照して説明する。
図１、図４、図５に示すように、本実施の形態の縁石に沿った隙間の修繕装置（以下修繕装置という）１０は、縁石２と歩道４との間の隙間Ｓまたは縁石２と道路６との間の隙間Ｓに繁茂した雑草を除去して隙間Ｓを閉塞するものである。
図１〜図３に示すように、修繕装置１０は、ディスクグラインダー１２と、除草剤散布機（不図示）と、プライマリー散布機（不図示）と、コーキングガン（不図示）とを含んで構成されている。
【０００９】
ディスクグラインダー１２は、キャスター輪１４と、円盤状のカッター１６と、駆動源１８と、ハウジング２０と、ハンドル２２とを備えている。
キャスター輪１４は、ハウジング２０に取着され、歩道４あるいは道路６の路面に沿って転動することでディスクグラインダー１２の移動を円滑に行わせるものである。
キャスター輪１４は、ハウジング２０に対して高さ調節可能に取着され、これによりカッター１６による溝Ｍの深さや幅を調節できるように図られている。
カッター１６は、外周に刃部１６０２が形成され、図４（Ａ）、（Ｂ）に示すように、刃部１６０２が隙間Ｓに挿入された状態で駆動源１８によって回転駆動されることで、隙間Ｓに繁茂した雑草を刈り取り、また、隙間Ｓ内の土砂やゴミなどの異物を除去することで隙間Ｓ内で溝Ｍを削り取るものである。
本実施の形態では、カッター１６は、外周の刃部１６０２に人工ダイヤモンドの砥粒が固定されたダイヤモンドカッターで構成されている。
図３、図４（Ａ）に示すように、カッター１６の刃部１６０２の断面形状は、半径方向外方に至るにつれて次第に幅が狭くなるＶ字状を呈している。
これにより、カッター１６の刃部１６０２が隙間Ｓ内に容易に挿入され、雑草の刈り取り、異物の除去が円滑に行なわれるように図られている。
また、カッター１６を隙間Ｓに挿入する深さを調節することで、削り取られる溝Ｍの深さや幅が調節できるように図られている。
【００１０】
駆動源１８は、カッター１６を回転駆動するものであり、外部から電力が供給されることで動作する電動モータで構成されている。
図２、図３に示すように、ハウジング２０は、カッター１６および駆動源１８を収容し、横寸法Ｗよりも縦寸法Ｌが大きく形成されている。
カッター１６の厚み方向の両側の側面１６１０，１６１２のうちの一方の側面１６１０は、ハウジング２０の横寸法Ｗの両側の側面２００２、２００４のうちの一方の側面２００２に寄せて配置され、ハウジング２０の一方の側面２００２は、カッター１６の一方の側面１６１０の上部を覆い下部をハウジング２０の外部に露出させている。
これにより縁石２の側方に近接させてカッター１６を位置させ、隙間Ｓに繁茂した雑草の刈り取りを円滑に行なえ、また、隙間Ｓ内の土砂やゴミなどの異物を円滑に除去できるように図られている。
ハンドル２２は、長尺の棒状を呈し、ハンドル２２の下端はブラケット２４を介してハウジング２０に取着され、ハンドル２２の上端寄りの部分は作業者が把持する把持部２２０２となっている。
したがって、作業者は、道路６や歩道４にしゃがみ込むといった不自然な作業を強いられることなく、立ち上がった状態でハンドル２２の把持部２２０２を把持しつつ道路６あるいは歩道４を歩きながら隙間Ｓの雑草の刈り取り、異物の除去を行なうことができ、作業性の向上が図られている。
【００１１】
除草剤散布機は、図５（Ａ）に示すように、ディスクグラインダー１２により削り取られた溝Ｍに除草剤Ｊを散布するものである。
除草剤散布機として市販の手動式噴霧器や電動式噴霧器が使用可能である。
除草剤を散布することで、溝Ｍ内に雑草の根が残存したとしてもその雑草を枯死させることができ、防草効果の向上が図られている。
【００１２】
プライマー散布機は、図５（Ｂ）に示すように、除草剤Ｊが散布された溝Ｍ内に、溝Ｍ内への充填剤の接着性を高めるプライマーＰを散布するものであり、必要に応じて用いられる。
プライマー散布機として除草用散布機と同様に市販の手動式噴霧器や電動式噴霧器が使用可能である。
【００１３】
コーキングガンは、図５（Ｃ）に示すように、除草剤Ｊ、プライマーＰが散布された溝Ｍ内に主剤と硬化剤を混合する２液混合型の充填剤Ｆを充填するものである。
コーキングガンとして市販品が使用可能であり、コーキングガンは、充填剤Ｆが充填されるシリンダと、シリンダの先端に設けられ充填剤Ｆが吐出されるノズルと、シリンダに設けられたピストンロッドと、手動操作によりピストンロッドを移動させるレバーとを備えている。
本実施の形態では、充填剤Ｆとして、樹脂系で日光および大気を遮断する株式会社フジタ道路６の商品名ＦＲフィラー（登録商標）を用いている。
【００１４】
溝Ｍ内への充填剤Ｆの充填は、主剤と硬化剤を混合した充填剤Ｆをコーキングガンに充填したのち、コーキングガンのノズルから溝Ｍ内に充填剤Ｆを吐出させることで行なわれる。
したがって、本実施の形態では、複数のテープやシートを重ねて貼り合わせたり、アスファルトを加熱するといった手間のかかる作業を行なう場合に比較して作業性に優れている。
溝Ｍ内に充填剤Ｆが充填され充填剤Ｆが硬化することにより隙間Ｓが閉塞されるため、隙間Ｓに異物が入り込み、雑草が繁茂することが抑制される。
また、充填剤Ｆにより日光および大気を遮断するため、隙間Ｓに雑草の根あるいは雑草の種子が残存していたとしても雑草や種子は生育することができず、防草効果を高める上で有利となる。
また、溝Ｍ内に充填剤Ｆが溝Ｍ内に取着されることから、充填剤Ｆが溝Ｍから剥がれ落ちて溝Ｍが露出することを長期間にわたって抑制でき、防草効果を長期間にわたって維持する上で有利となっている。
特に、本実施の形態では、プライマーを散布したのちに充填剤Ｆを溝Ｍ内に充填するので、充填剤Ｆが溝Ｍ内に強固に接着され、充填剤Ｆが溝Ｍから剥がれ落ちて溝Ｍが露出することを長期間にわたって抑制でき、防草効果を長期間にわたって維持する上でより有利となっている。
【００１５】
本実施の形態によれば、ディスクグラインダー１２を用いて縁石２と歩道４との間の隙間Ｓまたは縁石２と道路６との間の隙間Ｓに繁茂した雑草を除去し、ディスクグラインダー１２により削り取られた溝Ｍに除草剤散布機により除草剤を散布し、コーキングガンを用いて除草剤が散布された溝Ｍ内に主剤と硬化剤を混合する２液混合型の充填剤Ｆを充填することで、充填剤Ｆにより溝Ｍを閉塞することができる。
したがって、複数のテープやシールで隙間Ｓを覆ったり、砂とアスファルトとを混合した防草材で隙間Ｓを覆う場合に比較して、設備コストが安価で作業性に優れ、防草効果を長期間にわたって発揮する上で有利となる。
【符号の説明】
【００１６】
２  縁石
４  歩道
６  道路
１０  修繕装置
１２  ディスクグラインダー
１４  キャスター輪
１６  カッター
１６０２  刃部
１６１０  一方の側面
１８  駆動源
２０  ハウジング
２００２  一方の側面
２２  ハンドル
Ｓ  隙間
Ｍ  溝
Ｊ  除草剤
Ｐ  プライマー
Ｆ  充填剤
【図１】
0003209692.tif 000003
【図２】
0003209692.tif 000004
【図３】
0003209692.tif 000005
【図４】
0003209692.tif 000006
【図５】
0003209692.tif 000007
【手続補正書】
【提出日】平成29年2月3日(2017.2.3)
【手続補正１】
【補正対象書類名】明細書
【補正対象項目名】０００５
【補正方法】変更
【補正の内容】
【０００５】
上述した目的を達成するために、請求項１記載の考案は、縁石と歩道との間の隙間または縁石と道路との間の隙間に繁茂した雑草を除去して前記隙間を閉塞する縁石に沿った隙間の修繕装置であって、キャスター輪と、前記隙間に挿入される円盤状のカッターと、ハンドルとを有するディスクグラインダーと、前記ディスクグラインダーにより削り取られた溝に除草剤を散布する除草剤散布機と、前記除草剤が散布された溝内に主剤と硬化剤を混合する２液混合型の充填剤を充填するコーキングガンとを備えることを特徴とする。
請求項２記載の考案は、前記除草剤が散布された前記溝内に、前記溝内への前記充填剤の接着性を高めるプライマーを散布するプライマー散布機をさらに備えることを特徴とする。
請求項３記載の考案は、前記充填剤は、樹脂系で日光および大気を遮断することを特徴とする。
請求項４記載の考案は、前記ディスクグラインダーは、前記カッターおよび前記カッターを回転駆動する駆動源を収容し、横寸法よりも縦寸法が大きいハウジングを備え、前記カッターの厚み方向の両側の側面のうちの一方の側面は、前記ハウジングの前記横寸法の両側の側面のうちの一方の側面に寄せて配置され、前記ハウジングの前記一方の側面は、前記カッターの前記一方の側面の上部を覆い下部をハウジングの外部に露出させていることを特徴とする。
請求項５記載の考案は、前記キャスター輪は、前記ハウジングに対して高さ調節可能に取着されていることを特徴とする。
請求項６記載の考案は、前記カッターは、外周の刃部の断面形状が半径方向外方に至るにつれて次第に幅が狭くなるＶ字状を呈していることを特徴とする。
【手続補正２】
【補正対象書類名】実用新案登録請求の範囲
【補正対象項目名】全文
【補正方法】変更
【補正の内容】
【実用新案登録請求の範囲】
【請求項１】
縁石と歩道との間の隙間または縁石と道路との間の隙間に繁茂した雑草を除去して前記隙間を閉塞する縁石に沿った隙間の修繕装置であって、
キャスター輪と、前記隙間に挿入される円盤状のカッターと、ハンドルとを有するディスクグラインダーと、
前記ディスクグラインダーにより削り取られた溝に除草剤を散布する除草剤散布機と、
前記除草剤が散布された溝内に主剤と硬化剤を混合する２液混合型の充填剤を充填するコーキングガンと、
を備えることを特徴とする縁石に沿った隙間の修繕装置。
【請求項２】
前記除草剤が散布された前記溝内に、前記溝内への前記充填剤の接着性を高めるプライマーを散布するプライマー散布機をさらに備える、
ことを特徴とする請求項１記載の縁石に沿った隙間の修繕装置。
【請求項３】
前記充填剤は、樹脂系で日光および大気を遮断する、
ことを特徴とする請求項１または２記載の縁石に沿った隙間の修繕装置。
【請求項４】
前記ディスクグラインダーは、前記カッターおよび前記カッターを回転駆動する駆動源を収容し、横寸法よりも縦寸法が大きいハウジングを備え、
前記カッターの厚み方向の両側の側面のうちの一方の側面は、前記ハウジングの前記横寸法の両側の側面のうちの一方の側面に寄せて配置され、
前記ハウジングの前記一方の側面は、前記カッターの前記一方の側面の上部を覆い下部をハウジングの外部に露出させている、
ことを特徴とする請求項１〜３の何れか１項記載の縁石に沿った隙間の修繕装置。
【請求項５】
前記キャスター輪は、前記ハウジングに対して高さ調節可能に取着されている、
ことを特徴とする請求項４記載の縁石に沿った隙間の修繕装置。
【請求項６】
前記カッターは、外周の刃部の断面形状が半径方向外方に至るにつれて次第に幅が狭くなるＶ字状を呈している、
ことを特徴とする請求項１〜５の何れか１項記載の縁石に沿った隙間の修繕装置。